(57)【要約】      （修正有）【課題】商品表示具と電子棚札とを同時に使用することが可能な電子棚札用取付具を提供する。【解決手段】商品陳列棚の棚板前端部に取り付けられる商品表示具に、商品の情報を表示する電子棚札を取り付けるための電子棚札用取付具１であって、商品表示具に取り付け可能な取付部１０と、電子棚札を保持可能な保持部２０とを備え、保持部２０は、電子棚札を着脱可能に構成されている。【選択図】図３
0003231198.tif 000002
【実用新案登録請求の範囲】
【請求項１】
商品陳列棚の棚板前端部に取り付けられる商品表示具に、商品の情報を表示する電子棚札を取り付けるための電子棚札用取付具であって、
前記商品表示具に取り付け可能な取付部と、
前記電子棚札を保持可能な保持部と
を備え、
前記保持部は、前記電子棚札を着脱可能に構成されている
ことを特徴とする電子棚札用取付具。
【請求項２】
前記保持部は、前記取付部の前方に位置しており、
前記保持部は、
前記商品表示具に対向する板状基部と、
前記板状基部の上端部から前方に向けて延出する上側挟持片部と、
前記板状基部の下端部から前方に向けて延出する下側挟持片部と
を有し、
前記上側挟持片部と前記下側挟持片部とにより、前記電子棚札を挟持可能に構成されている
ことを特徴とする請求項１に記載の電子棚札用取付具。
【請求項３】
前記保持部は、
前記上側挟持片部に形成された上側係止片部と
前記下側挟持片部に形成された下側係止片部と
を更に有し、
前記保持部は、前記電子棚札が挿入された際に、前記上側係止片部と前記下側係止片部により、該電子棚札の前方への脱落を規制するように構成されている
ことを特徴とする請求項２に記載の電子棚札用取付具。
【請求項４】
前記保持部は、前記上側挟持片部と前記下側挟持片部の少なくとも一方に、前記規制を解除可能な規制解除部を有する
ことを特徴とする請求項３に記載の電子棚札用取付具。
【請求項５】
前記取付部は、前記板状基部の下端部から後方に向けて折れ曲がって形成された後方挟持片部を有し、
前記後方挟持片部は、前記板状基部との間において前記商品表示具を挟持可能に構成されている
ことを特徴とする請求項２〜４のいずれか1項に記載の電子棚札用取付具。
【考案の詳細な説明】
【技術分野】
【０００１】
本考案は、商品陳列棚に取り付けられる商品表示具に、商品の情報を表示する電子棚札を取り付けるための電子棚札用取付具に関するものである。
【背景技術】
【０００２】
従来、スーパーマーケット等の量販店において、商品陳列棚の棚板の前端部には、商品価格の表示等を行うために、商品表示カード等が差し込まれた商品表示具（特許文献１）又は、電子棚札（特許文献２）が設けられている。
【先行技術文献】
【特許文献】
【０００３】
【特許文献１】特開２００４−２９８４１９号公報
【特許文献２】特開２０１３−０６５３４９号公報
【考案の概要】
【考案が解決しようとする課題】
【０００４】
しかしながら、特許文献１の商品表示具では、商品価格等の内容を変更する際に、その都度商品表示カードを差し替える必要があるという問題がある。また、特許文献２の電子棚札では、内容の変更は容易であるが、表示面積が商品表示具よりも小さいため、表示できる内容量が商品表示具に比べて少ないという問題がある。
【０００５】
そこで、本考案は、商品表示具と電子棚札とを同時に使用することが可能な電子棚札用取付具を提供することを目的とする。
【課題を解決するための手段】
【０００６】
上記の目的を達成するため、本考案は、商品陳列棚の棚板前端部に取り付けられる商品表示具に、商品の情報を表示する電子棚札を取り付けるための電子棚札用取付具であって、前記商品表示具に取り付け可能な取付部と、前記電子棚札を保持可能な保持部とを備え、前記保持部は、前記電子棚札を着脱可能に構成されていることを特徴とする。
【０００７】
本考案に係る電子棚札用取付具において、前記保持部は、前記取付部の前方に位置しており、前記保持部は、前記商品表示具に対向する板状基部と、前記板状基部の上端部から前方に向けて延出する上側挟持片部と、前記板状基部の下端部から前方に向けて延出する下側挟持片部とを有し、前記上側挟持片部と前記下側挟持片部とにより、前記電子棚札を挟持可能に構成されていることが好ましい。
【０００８】
本考案に係る電子棚札用取付具において、前記保持部は、前記上側挟持片部に形成された上側係止片部と前記下側挟持片部に形成された下側係止片部とを更に有し、前記保持部は、前記電子棚札が挿入された際に、前記上側係止片部と前記下側係止片部により、該電子棚札の前方への脱落を規制するように構成されていてもよい。
【０００９】
本考案に係る電子棚札用取付具において、前記保持部は、前記上側挟持片部と前記下側挟持片部の少なくとも一方に、前記規制を解除可能な規制解除部を有していることが好ましい。
【００１０】
本考案に係る電子棚札用取付具において、前記取付部は、前記板状基部の下端部から後方に向けて折れ曲がって形成された後方挟持片部を有し、前記後方挟持片部は、前記板状基部との間において前記商品表示具を挟持可能に構成されていてもよい。
【考案の効果】
【００１１】
本考案によれば、商品表示具と電子棚札とを同時に使用することが可能な電子棚札用取付具を提供することができる。
【図面の簡単な説明】
【００１２】
【図１】電子棚札を本考案の実施形態に係る電子棚札用取付具に取付けた状態を示す図である。
【図２】本実施形態に係る電子棚札用取付具に対して電子棚札を分離させた状態を示す図である。
【図３】本実施形態に係る電子棚札用取付具を示す斜視図である。
【図４】本実施形態に係る電子棚札用取付具を示す背面斜視図である。
【図５】本実施形態に係る電子棚札用取付具を示す断面図である。
【図６】本実施形態に係る電子棚札用取付具を示す正面図である。
【考案を実施するための形態】
【００１３】
以下、本考案を実施するための好適な実施形態について、図面を用いて説明する。なお、以下の実施形態は、各請求項に係る考案を限定するものではなく、また、実施形態の中で説明されている特徴の組み合わせの全てが考案の解決手段に必須であるとは限らない。また、本実施形態においては、各構成要素の縮尺や寸法が誇張されて示されている場合や、一部の構成要素が省略されている場合がある。
【００１４】
［電子棚札用取付具の全体構成］
本実施形態に係る電子棚札用取付具１は、図１及び図２に示すように、商品陳列棚の棚板前端部に取り付けられる商品表示具２に、商品の情報を表示する電子棚札３を取り付けるための電子棚札用取付具である。
【００１５】
具体的には、電子棚札用取付具１は、図３及び図４に示すように、商品表示具２に、取り付け可能な取付部１０と、電子棚札３を保持可能な保持部２０とを備え、該保持部２０は、電子棚札３を着脱可能に構成されている。
【００１６】
以下、本明細書において、電子棚札３を取り付けた電子棚札用取付具１を、商品表示具２に取り付けた際に、商品表示具２が位置する方向を「後方」といい、電子棚札３が表示される方向を「前方」という。
【００１７】
［取付部の構成］
取付部１０は、図３及び図４に示すように、後述する板状基部２１の下端部から後方に向けて折れ曲がって形成された後方挟持片部１１を有し、板状基部２１との間において、断面略Ｕ字状の溝（Ｕ溝１２）を形成している。Ｕ溝１２の幅は、商品表示具２の厚さ（水平方向に沿う厚さ）と略一致するように形成されている。また、後方挟持片部１１の中心部近傍には、後方挟持片部１１の下端部近傍から上端部近傍にかけて開口が形成されている。
【００１８】
図４及び図５に示すように、後方挟持片部１１の上端部には、幅方向に突出部１３が形成されており、板状基部２１との間において、商品表示具２を挟持可能に構成されている。具体的には、突出部１３は、後方挟持片部１１の上端部から前方に向けて突出する断面略三角状に形成されており、板状基部２１との間において、商品表示具２を挟持可能に構成されている。また、突出部１３は、板状基部２１に接触しない長さにおいて、前方に突出している。
【００１９】
また、後方挟持片部１１は、図４及び図５に示すように、その中間部近傍から前方に向けて膨出する膨出部１４を形成しており、板状基部２１との間において、商品表示具２を挟持可能に構成されている。具体的には、膨出部１４は、後方挟持片部１１の開口内において、後方挟持片部１１の下端部近傍から上端部近傍にかけて、前方に折れ曲がって形成されており、板状基部２１との間において、商品表示具２を挟持可能に構成されている。また、膨出部１４は、板状基部２１に接触しない長さにおいて、前方に膨出している。
【００２０】
また、膨出部１４は、図５に示すように、膨出部分の下側とＵ溝１２の底との間において係合溝部１５を形成しており、商品表示具２をＵ溝１２に挿入した際に、図１に示された商品表示具２の下端部２ａと係合可能に構成されている。具体的には、係合溝部１５は、商品表示具２がＵ溝１２に挿入された際に、商品表示具２の下端部２ａと略一致するように構成されている。なお、係合溝部１５の形状は、商品表示具２の下端部２ａの形状によって、適宜変更可能である。
【００２１】
以上の構成を備えることにより、後方挟持片部１１は、板状基部２１との間において商品表示具２を挟持可能に構成されている。具体的には、後方挟持片部１１は、商品表示具２がＵ溝１２に挿入された際に、後方に向けて弾性変形し、Ｕ溝１２に商品表示具２を挿入した状態において、前方に向けて復元し、後方挟持片部１１の弾性力によって、板状基部２１との間において、商品表示具２を挟持するように構成されている。
【００２２】
［保持部の構成］
保持部２０は、図３及び図５に示すように、取付部１０の前方に位置しており、商品表示具２に対向する板状基部２１と、板状基部２１の上端部から前方に向けて延出する上側挟持片部２２と、板状基部２１の下端部から前方に向けて延出する下側挟持片部２３とを有しており、全体として、前方に向けて開口する断面略コの字状に形成されている。また、保持部２０の開口は、電子棚札３の挿入部３ａの厚さ（鉛直方向に沿う厚さ）と略一致するように形成されている。
【００２３】
また、保持部２０は、上側挟持片部２２と下側挟持片部２３とにより、電子棚札３を挟持可能に構成されている。具体的には、電子棚札３を保持部２０に装着する際に、上側挟持片部２２と、下側挟持片部２３は、電子棚札３と離間する方向に弾性変形し、保持部２０に電子棚札３を装着した状態で復元し、上側挟持片部２２と、下側挟持片部２３との間において、電子棚札３を挟持するように構成されている。
【００２４】
図６に示すように、上側挟持片部２２の上面には、上側挟持片部２２と略一致する幅（長手方向に沿う幅）において、規制部２４が形成されており、電子棚札３を保持部２０に挿入した状態において、左右への変位を規制するように構成されている。具体的には、規制部２４は、上側挟持片部２２の左右から中心に向かって突出する階段状に形成されており、電子棚札３を保持部２０に挿入した状態において、電子棚札３の挿入部３ａに設けられた突起が規制部２４の段差部分に係合し、左右への変位を阻害するように構成されている。また、規制部２４は、該挿入部３ａに設けられた突起の幅（幅方向に沿う幅）と略一致するように形成されている。
【００２５】
図５及び図６に示すように、上側挟持片部２２の下面には、幅方向に上側係止片部２５が形成されており、電子棚札３の挿入部３ａに設けられた突起と係合可能に構成されている。具体的には、上側係止片部２５は、規制部２４の中心部近傍に、形成された筋状の断面逆三角形状を有しており、電子棚札３の挿入部３ａに設けられた突起に噛合可能に構成されている。
【００２６】
図３に示すように、下側挟持片部２３の上面には、幅方向に、下側係止片部２６が形成されており、電子棚札３の挿入部３ａに設けられた突起（図示せず）と係合可能に構成されている。具体的には、下側係止片部２６は、下側挟持片部２３の幅方向全域に亘って形成された筋状の断面三角形状を有しており、電子棚札３の挿入部３ａに設けられた突起（図示せず）に噛合可能に構成されている。
【００２７】
以上の構成により、保持部２０は、電子棚札３が挿入された際に、上側係止片部２５と下側係止片部２６により、電子棚札３の前方への脱落を規制するように構成されている。具体的には、電子棚札３が、保持部２０に挿入された際に、電子棚札３の挿入部３ａの上下面に設けられた突起が上側係止片部２５と下側係止片部２６に係合し、電子棚札３の前方への脱落を阻害するように構成されている。
【００２８】
保持部２０は、上側挟持片部２２と下側挟持片部２３の少なくとも一方に、上記規制を解除可能な規制解除部２７を有している。本実施形態では、図３に示すように、規制部２４の上面には、規制部２４の前端部から前方に向けて延出して規制解除部２７が形成されており、上側係止片部２５と下側係止片部２６による電子棚札３の前方への脱落規制を解除するように構成されている。
【００２９】
具体的には、規制解除部２７は、保持部２０に、電子棚札３を挿入した状態において、規制解除部２７を電子棚札３と離間する方向において動作させることで、弾性変形し、上側係止片部２５と電子棚札３の挿入部３ａの上面に設けられた突起との係合が解除されるように構成されている。したがって、保持部２０は、電子棚札３を着脱可能に構成されている。また、規制解除部２７は、電子棚札３を装着した際に、電子棚札３の厚さ（長手方向に沿う厚さ）と略一致する長さで形成されている。
【００３０】
図３に示すように、規制解除部２７の後端部上方には、略アーチ状に、規制解除部２７の幅（幅方向に沿う幅）と一致する差込部２８が形成されており、情報表示物４（特売やキャンペーンなどのＰＯＰ等）を挟持可能に構成されている。
【００３１】
具体的には、差込部２８の領域内において、規制解除部２７の上面には、第１差込片部２９ａと第２差込片部２９ｂが突出して形成されており、差込部２８の下面には、第１差込片部２９ａと第２差込片部２９ｂの間において、第３差込片部２９ｃが突出して形成されている。該第１〜第３差込片部２９ａ〜２９ｃは、差込方向において、差込部２８の開口と同じ長さにおいて形成されている。
【００３２】
そして、第１差込片部２９ａ及び第２差込片部２９ｂと第３差込片部２９ｃとの間に情報表示物４を差し込むことにより、情報表示物４を挟持可能に構成されている。第１〜第３差込片部２９ａ〜２９ｃは、情報表示物４を差し込んで挟持できる程度の高さにおいて形成されている。
【００３３】
電子棚札用取付具１は、合成樹脂等を用いた一体成形によって形成されており、商品表示具２に取り付ける際及び、電子棚札３を取り付ける際に折れない程度の強度を有している。
【００３４】
［電子棚札用取付具の使用方法］
次に、本実施形態に係る電子棚札用取付具１の使用例について図１及び図２を用いて説明する。図１は、電子棚札３を電子棚札用取付具１に取り付けた状態を示す説明図であり、図２は、電子棚札３を取り付ける前の状態を示す説明図である。
【００３５】
本実施形態に係る電子棚札用取付具１は、１つの商品表示具２に、幅方向に所定の間隔をおいて１つ又は複数（例えば３つ乃至４つ）取り付けて使用される。図２に示すように、取付部１０のＵ溝１２に商品表示具２を挿入することにより、後方挟持片部１１と板状基部２１との間において商品表示具２が挟持され、電子棚札用取付具１は、商品表示具２に取り付けられる。また、取り付けた際、商品表示具２の下端部２ａと係合溝部１５が係合する。
【００３６】
また、保持部２０の上側係止片部２５と下側係止片部２６に電子棚札３の挿入部３ａに設けられた突起が係合されることにより、上側挟持片部２２と下側挟持片部２３によって、挟持され、電子棚札３は、保持部２０に取り付けられる。さらに、保持部２０の差込部２８内に情報表示物４を差し込むことにより、情報表示物４を保持部２０に取り付けることができる。
【００３７】
図１に示すように、電子棚札用取付具１を介して商品表示具２に電子棚札３を取り付けることで、商品表示具２単体又は、電子棚札３単体よりも多くの商品情報を開示することができる。
【００３８】
［本実施形態に係る電子棚札用取付具の利点］
このように、本実施形態に係る電子棚札用取付具１は、該商品表示具に取り付け可能な取付部１０と、電子棚札３を保持可能な保持部２０とを備え、保持部２０は、電子棚札３を着脱可能に構成されている。
【００３９】
このような構成を備える電子棚札用取付具１によれば、商品表示具２と電子棚札３とを同時に使用することが可能となる。また、これにより、有線又は無線によって、電子棚札３における商品の情報表示の変更を容易に行うことができるため、作業を簡素化できる。また、商品表示具２と電子棚札３の両方によって、商品の情報を表示できるため、商品表示具２単体又は、電子棚札３単体に比べて情報を多く伝えることができる。
【００４０】
特に、本実施形態に係る電子棚札用取付具１は、保持部２０が、取付部１０の前方に位置しており、保持部２０は、商品表示具２に対向する板状基部２１と、板状基部２１の上端部から前方に向けて延出する上側挟持片部２２と、板状基部の下端部から前方に向けて延出する下側挟持片部２３とを有し、上側挟持片部２２と下側挟持片部２３とにより、電子棚札３を挟持可能に構成されている。
【００４１】
このような構成を備える電子棚札用取付具１によれば、保持部２０に電子棚札３を挿入するという簡単な操作によって、電子棚札３を取り付けることができる。また、電子棚札３は、上側挟持片部２２と下側挟持片部２３によって挟持されるため、装着された電子棚札３を安定して保持することができる。
【００４２】
また、本実施形態に係る電子棚札用取付具１は、保持部２０が、上側挟持片部２２に形成された上側係止片部２５と下側挟持片部２３に形成された下側係止片部２６とを更に有し、保持部２０は、電子棚札３が挿入された際に、上側係止片部２５と下側係止片部２６により、電子棚札３の前方への脱落を規制するように構成されている。
【００４３】
このような構成を備える電子棚札用取付具１によれば、電子棚札３の挿入部３ａに設けられた突起が、上側係止片部２５と下側係止片部２６に係合されるため、電子棚札３の前方への脱落を防止することができ、電子棚札用取付具１の強度及び安全性を向上させることが可能となる。
【００４４】
さらに、本実施形態に係る電子棚札用取付具１は、保持部２０が、上側挟持片部２２と下側挟持片部２３の少なくとも一方に、規制を解除可能な規制解除部２７を有している。
【００４５】
このような構成を備える電子棚札用取付具１によれば、規制解除部２７を電子棚札３と離間する方向において動作させるという簡単な操作によって、電子棚札３を取り外すことができる。
【００４６】
またさらに、本実施形態に係る電子棚札用取付具１は、取付部１０が、板状基部２１の下端部から後方に向けて折れ曲がって形成された後方挟持片部１１を有し、後方挟持片部１１は、板状基部２１との間において商品表示具２を挟持可能に構成されている。
【００４７】
このような構成を備える電子棚札用取付具１によれば、商品表示具２に装着された状態において、下方への脱落を防止するとともに、左右方向への位置ずれ（横ずれ）を防止することができる。
【００４８】
［変形例］
本考案に係る電子棚札用取付具１は、上述した実施形態に限定されるものではなく、本考案の技術思想を逸脱しない範囲内において種々の改変を行なうことができる。
【００４９】
例えば、上述した実施形態では、膨出部１４は、後方挟持片部１１には開口が形成されており、該開口内において、膨出部が形成されているとしたが、これに限定されず、後方挟持片部１１の幅方向全域に亘って、前方に膨出していてもよい。
【００５０】
また、上述した実施形態では、上側挟持片部２２の上面には、規制部２４が設けられているとしたが、これに限定されず、規制部２４を設けない構成としてもよい。
【００５１】
さらに、上述した実施形態では、規制部２４の下面に上側係止片部２５が設けられているとしたが、これに限定されず、上側挟持片部２２の幅方向全域に亘って、上側係止片部２５が形成されていてもよい。
【００５２】
また、上述した実施形態では、規制解除部２７の上面に、差込部２８が形成されているとしたが、これに限定されず、差込部２８を形成しない態様としてもよい。
【００５３】
上記のような変形例が本考案の範囲に含まれることは、実用新案登録請求の範囲の記載から明らかである。
【符号の説明】
【００５４】
１  電子棚札用取付具
２  商品表示具
２ａ  下端部
３  電子棚札
３ａ  挿入部
４  情報表示物
１０  取付部
１１  後方挟持片部
１２  Ｕ溝１２
１３  突出部
１４  膨出部
１５  係合溝部
２０  保持部
２１  板状基部
２２  上側挟持片部
２３  下側挟持片部
２４  規制部
２５  上側係止片部
２６  下側係止片部
２７  規制解除部
２８  差込部
２９ａ  第１差込片部
２９ｂ  第２差込片部
２９ｃ  第３差込片部
【図１】
0003231198.tif 000003
【図２】
0003231198.tif 000004
【図３】
0003231198.tif 000005
【図４】
0003231198.tif 000006
【図５】
0003231198.tif 000007
【図６】
0003231198.tif 000008